(57)【特許請求の範囲】
【請求項１】
側面部を有する筐体にマルチタッチスクリーンを収納したマルチタッチスクリーン付き携帯端末であって、
前記マルチタッチスクリーンにおける前記側面部に隣接する領域であるサイドジェスチャー領域ならびに残りの領域の少なくとも一部を含む領域であるセンタージェスチャー領域を備え、
前記センタージェスチャー領域に触れることから始まるジェスチャーに対応する処理と、
前記サイドジェスチャー領域に触れることから始まるジェスチャーに対応する処理と
が異なり、
前記センタージェスチャー領域に触れることから始まるジェスチャーに対応する処理は、当該ジェスチャーに対応する文字を生成する処理であり、
前記サイドジェスチャー領域に触れることから始まるジェスチャーに対応する処理は、前記センタージェスチャー領域に触れることから始まるジェスチャーにより入力された前記文字に関連する処理である
ことを特徴とするマルチタッチスクリーン付き携帯端末。
【請求項２】
前記側面部にタッチセンサが配置され、
前記タッチセンサが反応したなら、前記側面部に隣接する領域であるサイドジェスチャー領域ならびに残りの領域の少なくとも一部を含む領域であるセンタージェスチャー領域を設定することを特徴とする請求項１記載のマルチタッチスクリーン付き携帯端末。
【請求項３】
前記筐体は互いに対向する側面部を２組有し、当該各側面部にタッチセンサが配置され、
一方の前記組の側面部に配置されたタッチセンサが両方とも反応したなら、当該各側面部に隣接するサイドジェスチャー領域をマルチタッチスクリーンに設定する一方、いずれかの当該タッチセンサが反応しなかったなら、他方の前記組の各側面部に隣接するサイドジェスチャー領域をマルチタッチスクリーンに設定する
ことを特徴とする請求項２記載のマルチタッチスクリーン付き携帯端末。
【請求項４】
側面部を有する筐体にマルチタッチスクリーンを収納したマルチタッチスクリーン付き携帯端末の動作方法であって、
前記マルチタッチスクリーン付き携帯端末が、前記マルチタッチスクリーンにおける前記側面部に隣接する領域であるサイドジェスチャー領域ならびに残りの領域の少なくとも一部を含む領域であるセンタージェスチャー領域を設定し、
前記センタージェスチャー領域に触れることから始まるジェスチャーに対応する処理と、
前記サイドジェスチャー領域に触れることから始まるジェスチャーに対応する処理と
が異なり、
前記センタージェスチャー領域に触れることから始まるジェスチャーに対応する処理は、当該ジェスチャーに対応する文字を生成する処理であり、
前記サイドジェスチャー領域に触れることから始まるジェスチャーに対応する処理は、前記センタージェスチャー領域に触れることから始まるジェスチャーにより入力された前記文字に関連する処理であることを特徴とするマルチタッチスクリーン付き携帯端末の動作方法。
【請求項５】
請求項１ないし３のいずれかに記載のマルチタッチスクリーン付き携帯端末としてコンピュータを機能させるためのコンピュータプログラム。
【発明の詳細な説明】
【技術分野】
【０００１】
本発明は、マルチタッチスクリーン付き携帯端末およびその動作方法に関するものである。
【背景技術】
【０００２】
近年では、スマートフォンのようなマルチタッチスクリーンを備えた携帯端末が開発されているが、視覚障がい者はその恩恵を十分に享受できていない。その理由は、メニューを選択することや文字を入力するなどの基本命令操作の操作性が不十分だからである。近年、Drag&Flick（非特許文献１、特許文献１参照）と呼ばれる操作方式が提案されているが、この操作方式で使用可能なジェスチャーの数は仮名文字を入力するのには十分であるが、全ての機能を利用するには不十分である。
【先行技術文献】
【特許文献】
【０００３】
【特許文献１】特許第５４２７９４０号公報
【非特許文献】
【０００４】
【非特許文献１】青木良輔、橋本遼、瀬古俊一、片岡泰之、井原雅行、渡辺昌洋、小林透「Drag&Flick:タッチスクリーンを用いた視覚障がい者向け文字入力方式」、情報処理学会イントロダクション、2013/3/1
【発明の概要】
【発明が解決しようとする課題】
【０００５】
本発明は、上記の課題に鑑みてなされたものであり、その目的とするところは、マルチタッチスクリーンへのジェスチャーに応じた処理を行うマルチタッチスクリーン付き携帯端末における利用可能なジェスチャーの数を増やす技術を提供することにある。
【課題を解決するための手段】
【０００６】
上記の課題を解決するために、本発明のマルチタッチスクリーン付き携帯端末は、側面部を有する筐体にマルチタッチスクリーンを収納したマルチタッチスクリーン付き携帯端末であって、前記マルチタッチスクリーンにおける前記側面部に隣接する領域であるサイドジェスチャー領域ならびに残りの領域の少なくとも一部を含む領域であるセンタージェスチャー領域を備え、前記センタージェスチャー領域に触れることから始まるジェスチャーに対応する処理と、前記サイドジェスチャー領域に触れることから始まるジェスチャーに対応する処理とが異なり、前記センタージェスチャー領域に触れることから始まるジェスチャーに対応する処理は、当該ジェスチャーに対応する文字を生成する処理であり、前記サイドジェスチャー領域に触れることから始まるジェスチャーに対応する処理は、前記センタージェスチャー領域に触れることから始まるジェスチャーにより入力された前記文字に関連する処理であることを特徴とする。
【０００７】
本発明のマルチタッチスクリーン付き携帯端末の動作方法は、側面部を有する筐体にマルチタッチスクリーンを収納したマルチタッチスクリーン付き携帯端末の動作方法であって、前記マルチタッチスクリーン付き携帯端末が、前記マルチタッチスクリーンにおける前記側面部に隣接する領域であるサイドジェスチャー領域ならびに残りの領域の少なくとも一部を含む領域であるセンタージェスチャー領域を設定し、前記センタージェスチャー領域に触れることから始まるジェスチャーに対応する処理と、前記サイドジェスチャー領域に触れることから始まるジェスチャーに対応する処理とが異なり、前記センタージェスチャー領域に触れることから始まるジェスチャーに対応する処理は、当該ジェスチャーに対応する文字を生成する処理であり、前記サイドジェスチャー領域に触れることから始まるジェスチャーに対応する処理は、前記センタージェスチャー領域に触れることから始まるジェスチャーにより入力された前記文字に関連する処理であることを特徴とする。
【発明の効果】
【０００８】
本発明によれば、マルチタッチスクリーンへのジェスチャーに応じた処理を行うマルチタッチスクリーン付き携帯端末における利用可能なジェスチャーの数を増やすことができる。
【図面の簡単な説明】
【０００９】
【図１】本実施の形態に係るマルチタッチスクリーン付き携帯端末を左手で把持した様子を示す図である。
【図２】マルチタッチスクリーン付き携帯端末を両手で把持した様子を示す図である。
【図３】左側面部１Ｌ、右側面部１Ｒを示す図である。
【図４】上側面部１Ｔ、下側面部１Ｂを示す図である。
【図５】マルチタッチスクリーン付き携帯端末１における領域設定動作を示すフローチャートである。
【図６】センタージェスチャー領域Ｃにユーザの指が触れた場合の処理を示す図である。
【図７】指が図６の文字「Ｋ」の領域に移動した場合の処理を示す図である。
【図８】指が図７の文字「き」の領域に移動した場合の処理を示す図である。
【図９】右サイドジェスチャー領域Ｒにユーザの指が触れた場合の処理を示す図である。
【図１０】指が左方向に移動した場合の処理を示す図である。
【図１１】指が処理内容「全削除」の領域に移動した場合の処理を示す図である。
【発明を実施するための形態】
【００１０】
以下、本発明の実施の形態について図面を参照して説明する。
【００１１】
図１は、本実施の形態に係るマルチタッチスクリーン付き携帯端末を左手で把持した様子を示す図である。図２は、マルチタッチスクリーン付き携帯端末を両手で把持した様子を示す図である。
【００１２】
マルチタッチスクリーン付き携帯端末１は、互いに対向する側面部を２組有する筐体にマルチタッチスクリーン２を収納した携帯端末である。すなわち、左側面部１Ｌと右側面部１Ｒが互いに対向し、上側面部１Ｔと下側面部１Ｂが互いに対向する。マルチタッチスクリーン２には、ユーザがマルチタッチスクリーン２において行うジェスチャーの開始点を分類するための２つのサイドジェスチャー領域つまり左サイドジェスチャー領域Ｌと右サイドジェスチャー領域Ｒとセンタージェスチャー領域Ｃが設定される。
【００１３】
図３は、左側面部１Ｌ、右側面部１Ｒを示す図であり、図４は、上側面部１Ｔ、下側面部１Ｂを示す図である。
【００１４】
各左側面部１Ｌ、右側面部１Ｒには、例えば、４つのタッチセンサ１０が設けられ、各上側面部１Ｔ、下側面部１Ｂには、例えば、２つのタッチセンサ１０が設けられる。
【００１５】
図５は、マルチタッチスクリーン付き携帯端末１における領域設定動作を示すフローチャートである。
【００１６】
Ｓ１：まず、マルチタッチスクリーン付き携帯端末１は、ユーザが左側面部１Ｌに触れているか否かを判定する。マルチタッチスクリーン付き携帯端末１は、例えば左側面部１Ｌの３以上のタッチセンサ１０が反応しているなら、ユーザが左側面部１Ｌに触れていると判定する。
【００１７】
Ｓ３：マルチタッチスクリーン付き携帯端末１は、ユーザが左側面部１Ｌに触れているなら（Ｓ１：ＹＥＳ）、左側面部１Ｌ用のフラグＦＬをオンする。
【００１８】
Ｓ５：マルチタッチスクリーン付き携帯端末１は、ユーザが左側面部１Ｌに触れていないなら（Ｓ１：ＮＯ）、または、フラグＦＬをオンしたなら（Ｓ３）、ユーザが右側面部１Ｒに触れているか否かを判定する。マルチタッチスクリーン付き携帯端末１は、例えば右側面部１Ｒの３以上のタッチセンサ１０が反応しているなら、ユーザが右側面部１Ｒに触れていると判定する。
【００１９】
Ｓ７：マルチタッチスクリーン付き携帯端末１は、ユーザが右側面部１Ｒに触れているなら（Ｓ５：ＹＥＳ）、右側面部１Ｒ用のフラグＦＲをオンする。
【００２０】
Ｓ９：マルチタッチスクリーン付き携帯端末１は、ユーザが右側面部１Ｒに触れていないなら（Ｓ５：ＮＯ）、または、フラグＦＲをオンしたなら（Ｓ７）、ユーザが上側面部１Ｔに触れているか否かを判定する。マルチタッチスクリーン付き携帯端末１は、例えば上側面部１Ｔの両方のタッチセンサ１０が反応しているなら、ユーザが上側面部１Ｔに触れていると判定する。
【００２１】
Ｓ１１：マルチタッチスクリーン付き携帯端末１は、ユーザが上側面部１Ｔに触れているなら（Ｓ９：ＹＥＳ）、上側面部１Ｔ用のフラグＦＴをオンする。
【００２２】
Ｓ１３：マルチタッチスクリーン付き携帯端末１は、ユーザが上側面部１Ｔに触れていないなら（Ｓ９：ＮＯ）、または、フラグＦＴをオンしたなら（Ｓ１１）、ユーザが下側面部１Ｂに触れているか否かを判定する。マルチタッチスクリーン付き携帯端末１は、例えば下側面部１Ｂの両方のタッチセンサ１０が反応しているなら、ユーザが下側面部１Ｂに触れていると判定する。
【００２３】
Ｓ１５：マルチタッチスクリーン付き携帯端末１は、ユーザが下側面部１Ｂに触れているなら（Ｓ１３：ＹＥＳ）、下側面部１Ｂ用のフラグＦＢをオンする。
【００２４】
Ｓ１７：マルチタッチスクリーン付き携帯端末１は、ユーザが下側面部１Ｂに触れていないなら（Ｓ１３：ＮＯ）、または、フラグＦＢをオンしたなら（Ｓ１５）、フラグＦＬとフラグＦＲが共にオンか否かを判定する。
【００２５】
Ｓ１９：マルチタッチスクリーン付き携帯端末１は、フラグＦＬとフラグＦＲが共にオンなら（Ｓ１７：ＹＥＳ）、マルチタッチスクリーン２の左側面部１Ｌに隣接する領域に左サイドジェスチャー領域Ｌを設定し、マルチタッチスクリーン２の右側面部１Ｒに隣接する領域に右サイドジェスチャー領域Ｒを設定し、残りの領域をセンタージェスチャー領域Ｃとし、終了する。
【００２６】
Ｓ２１：マルチタッチスクリーン付き携帯端末１は、フラグＦＬとフラグＦＲの一方または両方がオフなら（Ｓ１７：ＮＯ）、マルチタッチスクリーン２の下側面部１Ｂに隣接する領域に左サイドジェスチャー領域Ｌを設定し、マルチタッチスクリーン２の上側面部１Ｔに隣接する領域に右サイドジェスチャー領域Ｒを設定し、残りの領域をセンタージェスチャー領域Ｃとし、終了する。
【００２７】
なお、側面部にタッチセンサを１ずつ設け、反応しているタッチセンサが設けられた側面にユーザが触れていると判定してもよい。
【００２８】
また、反応しているタッチセンサが設けられた側面部に隣接するマルチタッチスクリーン２の領域だけにサイドジェスチャー領域を設定してもよい。この場合、残りの領域をセンタージェスチャー領域Ｃとすればよい。
【００２９】
図６は、センタージェスチャー領域Ｃにユーザの指が触れた場合の処理を示す図である。
【００３０】
マルチタッチスクリーン付き携帯端末１は、センタージェスチャー領域Ｃにユーザの指が触れたなら、例えば、左サイドジェスチャー領域Ｌと右サイドジェスチャー領域Ｒの表示を淡くし（図では領域を省略する）、触れた点を中心に２つの同心円を設定し、各同心円の間の領域を８等分する。例えば、各領域には順にＡ、Ｋ、Ｓ、Ｔ、Ｎ、Ｄ、Ｚ、Ｇの文字が割り当てられ、表示される。なお、表示を行わず、領域を設定するだけでもよい。
【００３１】
図７は、指が図６の文字「Ｋ」の領域に移動した場合の処理を示す図である。
【００３２】
マルチタッチスクリーン付き携帯端末１は、指が文字「Ｋ」の領域に移動したなら、指が触れている点を中心に２つの同心円を作成し、各同心円の間の領域を８等分する。例えば、各領域には順に、か、き、く、け、こ、け、く、きの文字が割り当てられる。文字「Ａ」の領域なら、あ、い、う、え、お、え、う、いの文字が割り当てられ、表示される。つまり、どの方向に移動したかにより、割り当てられる文字が変わる。なお、表示を行わず、領域を設定するだけでもよい。
【００３３】
図８は、指が図７の文字「き」の領域に移動した場合の処理を示す図である。
【００３４】
マルチタッチスクリーン付き携帯端末１は、指が文字「き」の領域に移動し、マルチタッチスクリーン２から離れたなら、文字「き」を生成し、例えば、マルチタッチスクリーン２の検索文字入力エリア２１に表示する。
【００３５】
図９は、右サイドジェスチャー領域Ｒにユーザの指が触れた場合の処理を示す図である。
【００３６】
マルチタッチスクリーン２の検索文字入力エリア２１には、例えば、上記の説明の処理により入力された文字からなる文字列「とうきょう」が表示されている。
【００３７】
マルチタッチスクリーン付き携帯端末１は、右サイドジェスチャー領域Ｒにユーザの指が触れたなら、左サイドジェスチャー領域Ｌの表示を薄くし（図では領域を省略する）、右サイドジェスチャー領域Ｒをマルチタッチスクリーン２に表示する。例えば、右サイドジェスチャー領域Ｒには、指の移動方向のメニューが表示される。なお、表示を行わなくてもよい。
【００３８】
図１０は、指が左方向に移動した場合の処理を示す図である。
【００３９】
マルチタッチスクリーン付き携帯端末１は、指が左方向に移動したなら、指が触れている点を中心に２つの同心円を作成し、各同心円の間の領域を８等分する。例えば、そのうちの１領域には、マルチタッチスクリーン２に表示された文字列を全削除する処理内容（「全削除」）が割り当てられ、他の領域にも処理内容が割り当てられ、処理内容が表示される。なお、表示を行わなくてもよい。
【００４０】
図１１は、指が処理内容「全削除」の領域に移動した場合の処理を示す図である。
【００４１】
マルチタッチスクリーン付き携帯端末１は、指が処理内容「全削除」の領域に移動し、マルチタッチスクリーン２から離れたなら、検索文字入力エリア２１に表示されている文字列「とうきょう」を全削除する。
【００４２】
なお、処理内容「全削除」は一例であり、他の領域に移動した場合は、その領域に応じた処理がなされる。
【００４３】
また、右サイドジェスチャー領域Ｒに触れた指が上方向に移動した場合は、別の処理がなされる。また、右サイドジェスチャー領域Ｒに触れた指が下方向に移動した場合は、別の処理がなされる。また、指が左サイドジェスチャー領域Ｌに触れた場合は、別の処理がなされる。その場合も右サイドジェスチャー領域Ｒと同様に、触れた後の移動方向に応じた処理がなされる。
【００４４】
したがって、本実施の形態のマルチタッチスクリーン付き携帯端末１によれば、マルチタッチスクリーン２における側面部に隣接する領域であるサイドジェスチャー領域（ＬやＲ）ならびに残りの領域の少なくとも一部を含む領域であるセンタージェスチャー領域Ｃを備え、センタージェスチャー領域Ｃに触れることから始まるジェスチャーに対応する処理と、サイドジェスチャー領域に触れることから始まるジェスチャーに対応する処理とが異なるので、利用可能なジェスチャーの数を増やすことができる。
【００４５】
また、利用者が触れた側面部に隣接する領域にサイドジェスチャー領域することで、利用者が視覚障がい者であっても、サイドジェスチャー領域の位置を容易に認識でき、すなわち容易に触れることができ、ジェスチャーを行うことができる。
【００４６】
なお、右サイドジェスチャー領域Ｒや左サイドジェスチャー領域Ｌに触れることから始まるジェスチャーに対応する処理は全削除、つまり、文字に関連する処理であったが、全削除に限らず、文字の種類の変更、１文字削除、UNDO（取消）、漢字変換、小書き、音声読み上げ、予測変換、カーソル移動に遷移などとしてもよい。
【００４７】
また、上記のような文字に関する処理に限らず、例えば、文字入力でもよい。例えば、センタージェスチャー領域Ｃに触れることから始まるジェスチャーに対応する処理で入力できる文字数が少ない場合は、右サイドジェスチャー領域Ｒや左サイドジェスチャー領域Ｌに触れることから始まるジェスチャーに対応する処理を文字入力とし、これにより、入力可能な文字数を多くできる。
【００４８】
なお、タッチセンサは各側面部に設けたが、少なくとも１の側面部に設ければよい。
【００４９】
また、本実施の形態において側面部数は４であるが、３または５以上でもよい。その場合も、タッチセンサは少なくとも１の側面部に設ければよい。
【００５０】
また、本実施の形態のマルチタッチスクリーン付き携帯端末を視覚障がい者が利用する場合、マルチタッチスクリーン２への領域や文字の表示は必ずしも必要ではない。
【００５１】
また、タッチセンサを設けなくてもよい。例えば、実行すべき処理が多い場合は、サイドジェスチャー領域を必ず設定し、サイドジェスチャー領域に触れることから始まるジェスチャーに対応する処理を実行してもよい。
【００５２】
また、本実施の形態のマルチタッチスクリーン付き携帯端末としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００５３】
１…マルチタッチスクリーン付き携帯端末
１Ｂ…下側面部
１Ｌ…左側面部
１Ｒ…右側面部
１Ｔ…上側面部
２…マルチタッチスクリーン
１０…タッチセンサ
２１…検索文字入力エリア
Ｃ…センタージェスチャー領域
ＦＢ、ＦＬ、ＦＲ、ＦＴ…フラグ
Ｌ…左サイドジェスチャー領域
Ｒ…右サイドジェスチャー領域
【図１】
0005969552.tif 000002
【図２】
0005969552.tif 000003
【図３】
0005969552.tif 000004
【図４】
0005969552.tif 000005
【図５】
0005969552.tif 000006
【図６】
0005969552.tif 000007
【図７】
0005969552.tif 000008
【図８】
0005969552.tif 000009
【図９】
0005969552.tif 000010
【図１０】
0005969552.tif 000011
【図１１】
0005969552.tif 000012